(57)【要約】【目的】プログラム等が記録された追記型光ディスクを複数台の記録ドライブを用いて作成するシステムにおいて作成される追記型光ディスクが，いずれの記録ドライブを用いて作成されたものであるかを識別できるようにする。【構成】記録済ＣＤ−Ｒ作成システムは，複数台のＣＤ−Ｒドライブを備えている。記録済ＣＤ−Ｒ作成システムによってＣＤ−Ｒ１５には，画像閲覧プログラムが記録され，かつ画像閲覧プログラムの記録に用いられたＣＤ−Ｒドライブを識別するためのドライブ識別番号がＣＤ−Ｒ１５の最大記録可能時間の１秒前に相当する位置を記録開始位置として記録されている。【選択図】　図３
2004095057.tif 000002
【特許請求の範囲】
【請求項１】
プログラムまたはデータが記録され，かつ上記プログラムまたはデータの記録に用いられた記録ドライブを識別するドライブ識別符号が所定の位置に記録された，記録済み追記型光ディスク。
【請求項２】
プログラムおよびデータが記録されていない未記録領域を含む，請求項１に記載の記録済み追記型光ディスク。
【請求項３】
上記ドライブ識別符号は，上記追記型光ディスクの最大リードアウト開始可能時間を開始位置とする最大リードアウト領域によって占有されうる領域の外側に位置する，請求項１に記載の記録済み追記型光ディスク。
【請求項４】
上記追記型光ディスクにあらかじめ記録される最大記録可能時間が現実の最大記録可能時間よりも小さい時間であり，
上記ドライブ識別符号は，上記追記型光ディスクにあらかじめ記録される最大記録可能時間と，現実の最大記録可能時間の間に相当する位置に記録されている，請求項１に記載の記録済み追記型光ディスク。
【請求項５】
複数台の記録ドライブ，
上記複数台の記録ドライブのそれぞれを識別するためのドライブ識別符号を記憶する記憶手段，
上記複数台の記録ドライブにプログラムまたはデータを与え，そのプログラムまたはデータを上記記録ドライブに装填された追記型光ディスクに記録するように上記記録ドライブを制御する第１の制御手段，および
上記記憶手段から上記ドライブ識別符号を読出し，読出したドライブ識別符号を，そのドライブ識別符号によって特定される記録ドライブに与え，与えたドライブ識別符号を上記追記型光ディスクの所定の位置に記録するように上記記録ドライブを制御する第２の制御手段，を備えた記録済み追記型光ディスク作成装置。
【請求項６】
記録ドライブのそれぞれを識別するためのドライブ識別符号を記憶した記憶手段を備えた複数台の記録ドライブ，
上記複数台の記録ドライブにプログラムまたはデータを与え，そのプログラムまたはデータを上記記録ドライブに装填された追記型光ディスクに記録するように上記記録ドライブを制御する第１の制御手段，および
上記記憶手段に記憶されたドライブ識別符号を上記追記型光ディスクの所定の位置に記録するように上記記録ドライブを制御する第２の制御手段，
を備えた記録済み追記型光ディスク作成装置。
【請求項７】
上記第２の制御手段は，上記ドライブ識別符号を，上記追記型光ディスクの最大リードアウト開始可能時間を開始位置とする最大リードアウト領域によって占有されうる領域の外側の位置に記録するように，上記記録ドライブを制御する，請求項５または６に記載の記録済み追記型光ディスク作成装置。
【請求項８】
上記追記型光ディスクにあらかじめ記録される最大記録可能時間が現実の最大記録可能時間よりも小さい時間であり，
上記第２の制御手段は，上記ドライブ識別符号を，上記追記型光ディスクにあらかじめ記録される最大記録可能時間と，現実の最大記録可能時間の間に相当する位置に記録するように，上記記録ドライブを制御する，請求項５または６に記載の記録済み追記型光ディスク作成装置。
【請求項９】
複数台の記録ドライブおよび上記複数台の記録ドライブのそれぞれを識別するためのドライブ識別符号を記憶する記憶手段を備えた記録済み光ディスク作成装置を制御するプログラムであり，
上記複数台の記録ドライブにプログラムまたはデータを与え，そのプログラムまたはデータを上記記録ドライブに装填された追記型光ディスクに記録するように上記記録ドライブを制御し，
上記記憶手段から上記ドライブ識別符号を読出し，読出したドライブ識別符号を，そのドライブ識別符号によって特定される記録ドライブに与え，与えたドライブ識別符号を上記追記型光ディスクに記録するように上記記録ドライブを制御する，プログラム。
【請求項１０】
記録ドライブのそれぞれを識別するためのドライブ識別符号を記憶した記憶手段を備えた複数台の記録ドライブを備えた記録済み光ディスク作成装置の制御プログラムであり，
上記複数台の記録ドライブにプログラムまたはデータを与え，そのプログラムまたはデータを上記記録ドライブに装填された追記型光ディスクに記録するように上記記録ドライブを制御し，
上記記憶手段に記憶されたドライブ識別符号を上記追記型光ディスクの所定の位置に記録するように上記記録ドライブを制御する，プログラム。
【請求項１１】
上記ドライブ識別符号を，上記追記型光ディスクの最大リードアウト開始可能時間を開始位置とする最大リードアウト領域によって占有されうる領域の外側の位置に記録するように，上記記録ドライブを制御する，請求項９または１０に記載のプログラム。
【請求項１２】
上記追記型光ディスクにあらかじめ記録される最大記録可能時間が現実の最大記録可能時間よりも小さい時間であり，
上記ドライブ識別符号を，上記追記型光ディスクにあらかじめ記録される最大記録可能時間と，現実の最大記録可能時間の間に相当する位置に記録するように，上記記録ドライブを制御する，請求項９または１０に記載のプログラム。
【請求項１３】
請求項１から５のいずれか一項に記載の記録済み追記型光ディスクに記録されているドライブ識別符号を読出す読出し手段，および
上記読出し手段によって読出されたドライブ識別符号または上記読出されたドライブ識別符号によって特定される記録ドライブを特定する情報を表示画面上に表示する表示手段，を備えた記録ドライブ特定装置。
【発明の詳細な説明】
【０００１】
【技術分野】
この発明は，記録済み追記型光ディスク，記録済み追記型光ディスク作成装置およびその制御プログラムに関する。
【０００２】
【発明の背景】
画像閲覧プログラム（ビュアー・ソフト）が記録されたＣＤ−Ｒに，ユーザがラボラトリに持込んだネガに記録されている画像を追記するサービスがある。ラボラトリではネガに記録されている画像をディジタル画像データにして，このディジタル画像データをビュアー・ソフトが記録されたＣＤ−Ｒに追記する。ＣＤ−Ｒにはビュアー・ソフトが記録されているので，ユーザはＣＤ−Ｒをパーソナル・コンピュータのＣＤ−ＲＯＭドライブ等に装着し，ビュアー・ソフトを実行することにより，ＣＤ−Ｒに記録されている画像をパーソナル・コンピュータの表示画面上に表示させることができる。
【０００３】
ビュアー・ソフトが記録されたＣＤ−Ｒは，ブランクＣＤ−Ｒにビュアー・ソフトを記録することによって作成される。ビュアー・ソフトが記録されたＣＤ−Ｒを大量に作成する場合には，複数台のＣＤ−Ｒドライブを用いて複数枚のビュアー・ソフトを記録したＣＤ−Ｒを作成する。
【０００４】
ＣＤ−Ｒドライブは，光ピックアップから発射されるレーザ光によりＣＤ−Ｒの記録面にピットを形成することによってプログラム等をＣＤ−Ｒに記録する。光ピックアップは長時間の使用によって劣化するので，定期的にＣＤ−Ｒドライブを交換する必要がある。
【０００５】
光ピックアップが劣化した状態，レンズが汚れてしまった状態等でＣＤ−Ｒにプログラムを記録すると，そのプログラムを実際に動作させようとしたときにプログラムが動作しないことがある。この場合，ユーザからの返品等によってＣＤ−Ｒドライブのうちのいずれかに不具合が生じていることは判明するものの，多数のＣＤ−Ｒドライブを用いてビュアー・ソフトを記録した大量のＣＤ−Ｒを作成しているシステムにおいて，いずれのＣＤ−Ｒドライブを交換すべきかの判断は困難である。複数台のＣＤ−Ｒドライブを一度にすべて交換することも考えられるが，ＣＤ−Ｒドライブの光ピックアップの劣化の進度はＣＤ−Ｒドライブごとに異なり，しばらくの間は使用可能なＣＤ−Ｒドライブもその中には当然に含まれているので，一度にすべて交換することは非効率的である。
【０００６】
【発明の開示】
この発明は，プログラム等が記録された追記型光ディスクを複数台の記録ドライブを用いて作成するシステムにおいて作成される追記型光ディスクが，いずれの記録ドライブを用いて作成されたものであるかを識別できるようにすることを目的とする。
【０００７】
またこの発明は，いずれの記録ドライブを用いて作成されたものであるかを識別できるデータ構造をもつ追記型光ディスクを提供することを目的とする。
【０００８】
さらにこの発明は，上記追記型光ディスクを作成する記録済み追記型光ディスク作成装置を提供することを目的とする。
【０００９】
この発明による記録済み追記型光ディスクは，プログラムまたはデータが記録され，かつ上記プログラムまたはデータの記録に用いられた記録ドライブを識別するドライブ識別符号が所定の位置に記録されていることを特徴とする。
【００１０】
追記型光ディスクとは，光（レーザ光）によって追記してプログラムやデータを記録することができる光ディスクを意味し，スタンパによってプログラムやデータの記録が行われプログラムやデータを追記できない記録媒体（ＣＤ−ＲＯＭ，ＤＶＤ−ＲＯＭ等），およびデータ書換え可能な記録媒体（ＣＤ−ＲＷ，ＤＶＤ−ＲＷ等）を除く趣旨である。
【００１１】
この発明による追記型光ディスクは，プログラムまたはデータが記録されている。もちろん，プログラムとデータの両方であってもよい。この発明による追記型光ディスクにはさらに，上記プログラムまたはデータの記録に用いられた記録ドライブを識別するドライブ識別符号も記録されている。記録ドライブは，追記型光ディスクがＣＤ−ＲであればＣＤ−Ｒドライブを意味する。
【００１２】
この発明によると，プログラムまたはデータの記録に用いられた記録ドライブを識別するためのドライブ識別符号が所定の位置に記録されているので，所定の位置に記録されているドライブ識別符号を読出すことによって，いずれの記録ドライブを用いてプログラムまたはデータの記録が行われたかを知ることができる。たとえば，プログラム等が記録された追記型光ディスクのプログラム等がコンピュータにおいて実行できず，その追記型光ディスクが返却（返品）された場合に，所定の位置に記録されているドライブ識別符号を読出し，ドライブ識別符号に基づいてその追記型光ディスクにプログラム等を記録した記録ドライブを特定することができ，不具合のある記録ドライブを簡単に特定することができる。
【００１３】
一実施態様では，上記追記型光ディスクは，プログラムおよびデータが記録されていない未記録領域を含む。追記型光ディスクでは，この未記録領域にさらにプログラムやデータを記録（追記）することができる。
【００１４】
好ましくは，上記ドライブ識別符号は，上記追記型光ディスクの最大リードアウト開始可能時間を開始位置とする最大リードアウト領域によって占有されうる領域の外側に位置する。たとえば，ＣＤ−Ｒの場合には，書込まれるプログラム等を最大（最大のデータ量）にしたときのリードアウトの開始時間が記録されている（ＣＤ−Ｒの規格によって定められている）。上記ドライブ識別符号を，上記追記型光ディスクの最大リードアウト開始可能時間を開始位置とする最大リードアウト領域によって占有されうる領域の外側の位置に記録することによって，上記追記型光ディスクに記録可能な最大のデータ量のプログラム等が記録（追記）されても，ドライブ識別符号の記録位置はその外側（外周側）となる。ドライブ識別符号が記録されている部分に重ね合わされて，プログラム等が記録（追記）されることがない。追記されるプログラム等を正常に記録することができる。
【００１５】
上記追記型光ディスクにあらかじめ記録される最大記録可能時間を現実の最大記録可能時間よりも小さい時間とし，上記ドライブ識別符号を，上記追記型光ディスクにあらかじめ記録される最大記録可能時間と，現実の最大記録可能時間の間に相当する位置に記録してもよい。ＣＤ−Ｒの場合，上記最大記録可能時間もＣＤ−Ｒにあらかじめ記録されている（ＣＤ−Ｒの規格によって定められている）。一般のＣＤ−Ｒドライブでは，ＣＤ−Ｒにあらかじめ記録された最大記録可能時間を超えてプログラム等をＣＤ−Ｒに記録（追記）することはできないので，ドライブ識別符号が記録されている部分に重ね合わされてプログラム等が記録（追記）されることがない。
【００１６】
この発明による記録済み追記型光ディスク作成装置は，複数台の記録ドライブ，上記複数台の記録ドライブのそれぞれを識別するためのドライブ識別符号を記憶する記憶手段，上記複数台の記録ドライブにプログラムまたはデータを与え，そのプログラムまたはデータを上記記録ドライブに装填された追記型光ディスクに記録するように上記記録ドライブを制御する第１の制御手段，および上記記憶手段から上記ドライブ識別符号を読出し，読出したドライブ識別符号を，そのドライブ識別符号によって特定される記録ドライブに与え，与えたドライブ識別符号を上記追記型光ディスクの所定の位置に記録するように上記記録ドライブを制御する第２の制御手段を備えている。
【００１７】
この発明は，上述の追記型光ディスク作成装置を制御するためのプログラムも提供している。この発明による記録済み光ディスク作成装置を制御するプログラムは，複数台の記録ドライブおよび上記複数台の記録ドライブのそれぞれを識別するためのドライブ識別符号を記憶する記憶手段を備えた記録済み光ディスク作成装置を制御するものであり，上記複数台の記録ドライブにプログラムまたはデータを与え，そのプログラムまたはデータを上記記録ドライブに装填された追記型光ディスクに記録するように上記記録ドライブを制御し，上記記憶手段から上記ドライブ識別符号を読出し，読出したドライブ識別符号を，そのドライブ識別符号によって特定される記録ドライブに与え，与えたドライブ識別符号を上記追記型光ディスクに記録するように上記記録ドライブを制御するものである。
【００１８】
記録済み追記型光ディスク作成装置によって作成される追記型光ディスクは，上述のように，その追記型光ディスクにプログラム等を記録した記録ドライブを特定できるデータ構造をもつ。複数台の記録ドライブのうちのいずれかに不具合が生じた場合に，いずれの記録ドライブに不具合が生じているかを容易に把握することができる。
【００１９】
ドライブ識別符号は，記録ドライブの記憶手段にそれぞれ記憶させておいてもよい。記憶手段はディジタル・データを記憶するメモリのみならず，ディップ・スイッチ等のハードによって記憶（設定）されるものを含む。記録ドライブのそれぞれがもつドライブ識別符号が，追記型光ディスクに記録される。
【００２０】
この発明はさらに，上述の作成装置によって作成された追記型光ディスクから，その追記型光ディスクにプログラム等を記録した記録ドライブを，可視的に特定する装置も提供している。この発明による記録ドライブ特定装置は，上述の追記型光ディスクに記録されているドライブ識別符号を読出す読出し手段，および上記読出し手段によって読出されたドライブ識別符号または上記読出されたドライブ識別符号によって特定される記録ドライブを特定する情報を表示画面上に表示する表示手段を備えていることを特徴とする。上述の追記型光ディスクには所定の位置にドライブ識別符号が記録されているので，このドライブ識別符号の記録位置を把握しておけば，上述の追記型光ディスクからドライブ識別符号を読み出すことができる。追記型光ディスクにプログラム等を記録したドライブを特定する情報，たとえば番号，記号，機種名等が表示手段によって表示画面上に表示される。
【００２１】
【実施例】
記録済ＣＤ−Ｒ作成システムは，簡潔に言えば，マスタ・ディスクに記録されたプログラム等をＣＤ−Ｒドライブに装填されたＣＤ−Ｒに記録（コピー）し，かつＣＤ−Ｒにプログラム等を記録するために用いられたＣＤ−Ｒドライブを識別するためのドライブ識別番号を，ＣＤ−Ｒに記録するシステムである。すなわち，記録済ＣＤ−Ｒ作成システムによって作成されるＣＤ−Ｒには，マスタ・ディスクに記録されているプログラム等と，その記録に用いられたＣＤ−Ｒドライブを識別するドライブ識別番号とが記録される。
【００２２】
たとえば，マスタ・ディスクに記録されたプログラム等を，画像データによって表される画像をコンピュータ（パーソナル・コンピュータ等）の表示装置の表示画面上に表示するための画像閲覧プログラムとする。記録済ＣＤ−Ｒ作成システムによって，画像閲覧プログラムとドライブ識別番号が記録された記録済ＣＤ−Ｒが多数作成される。記録済ＣＤ−Ｒ作成システムによって作成された記録済ＣＤ−Ｒは，ラボラトリに配布される。ラボラトリには，ディジタル・スチル・カメラによってユーザ画像を記録したメモリ・カード，銀塩カメラによってユーザ画像を記録したフィルム等がユーザによって持込まれる。ラボラトリでは，配布された記録済ＣＤ−Ｒにユーザ画像を記録（追記）する。ユーザ画像が記録された記録済ＣＤ−Ｒがユーザに渡される。上述したように，記録済ＣＤ−Ｒには画像閲覧プログラムがあらかじめ記録されているので，画像表示用のプログラムを別途用意するまでもなく，ユーザはラボラトリから渡された記録済ＣＤ−Ｒに記録された画像データを，画像閲覧プログラムによってコンピュータの表示画面上に表示させることができる。
【００２３】
ユーザに渡される記録済ＣＤ−Ｒには，上述したように，ＣＤ−Ｒドライブ識別番号が記録されている。このドライブ識別番号によって，記録済ＣＤ−Ｒ作成システムを構成する複数台のＣＤ−Ｒドライブのうち，いずれかのＣＤ−Ｒドライブによって画像閲覧プログラムが記録されたのかを把握することができる。
【００２４】
記録済ＣＤ−Ｒ作成システムを構成するＣＤ−Ｒドライブの故障，たとえば，ピックアップの故障，レンズの汚れ等によってマスタ・ディスクからＣＤ−Ｒへの画像閲覧プログラムのコピーが正常に行われないことがある。ユーザ（またはラボラトリ）から返品された記録済ＣＤ−Ｒに記録されているドライブ識別番号に基づいて，複数台のＣＤ−ＲドライブのうちのいずれのＣＤ−Ｒドライブに不具合（故障等）が生じているかを把握することができる。また，記録済ＣＤ−Ｒには画像閲覧プログラムがコピーされた日時データも記録されてるので，日時データに基づいて，ラボラトリに保管されている記録済ＣＤ−Ｒのうち，不良品であるおそれのある記録済ＣＤ−Ｒを回収することもできる。
【００２５】
図１は，記録済ＣＤ−Ｒ作成システムの電気的構成を示すブロック図である。以下の説明では，画像閲覧プログラムを記録した記録済ＣＤ−Ｒの作成を例にとる。
【００２６】
記録済ＣＤ−Ｒ作成システムは，システム全体を統括的に制御するコンピュータ１０を含む。コンピュータ１０に，各種指示等を入力するための入力装置１１，処理結果等を表示するための表示装置１２，オペレーティング・システム，コンピュータ・システムを配布ＣＤ−Ｒ作成システムとして機能させるための書込みプログラム，後述するＣＤ−Ｒドライブのそれぞれを識別するためのドライブ識別番号等が記憶されたハードディスク１８，マスタ・ディスク（ＣＤ−ＲＯＭ）１３が装着され，マスタ・ディスク１３に記録されたプログラム等を読出すＣＤ−ＲＯＭドライブ１４，およびマスタ・ディスク１３のプログラムをＣＤ−Ｒ１５に記録する７台のＣＤ−Ｒドライブ１６ａ〜１６ｇが接続されている。
【００２７】
ＣＤ−Ｒ１５は，プログラムおよびデータの書込みが可能な光ディスクである。ＣＤ−Ｒの記録面にはウォブルグルーブがあらかじめ刻込まれている。ウォブルグルーブはＣＤ−Ｒドライブの光ピックアップのガイド（案内溝）として機能する。また，ウォブルグルーブには，時間管理のためのデータ（アドレス），ＣＤ−Ｒ１５への最大記録可能時間，リードインの開始時間，書込まれるプログラム等を最大にしたときのリードアウトの開始時間，ＣＤ−Ｒ１５に推奨されている書込みパワー等も記録（重畳）されている。ウォブルグルーブに沿ってＣＤ−Ｒの記録面を光ピックアップが走行し，与えられた信号に基づくピットが形成される。ピットによってＣＤ−Ｒ１５の記録面にプログラムやデータが記録される。
【００２８】
図２は，記録済ＣＤ−Ｒ作成システムの動作の流れを示すフローチャートである。左側に書込みプログラムに基づくコンピュータ１０の処理動作が，右側にコンピュータ１０の動作に対応して動作するＣＤ−Ｒドライブの処理動作がそれぞれ示されている。複数台のＣＤ−Ｒドライブ１６ａ〜１６ｇはそれぞれ同じ動作を行う。
【００２９】
画像閲覧プログラムが記録されたマスタ・ディスク１３が，ＣＤ−ＲＯＭドライブ１４に装填される。また，ＣＤ−Ｒドライブ１６ａ〜１６ｇのそれぞれに，ＣＤ−Ｒ１５が装填される。
【００３０】
ＣＤ−Ｒドライブ１６ａ〜１６ｇにＣＤ−Ｒ１５が装填されると，ＣＤ−Ｒドライブは１６ａ〜１６ｇはウォブルグルーブに沿って光ピックアップを動作させ，装填されているＣＤ−Ｒ１５の最大記録可能時間，リードインの開始時間，書込まれるプログラム等を最大にしたときのリードアウトの開始時間，ＣＤ−Ｒ１５に推奨されている書込みパワー等を表すデータを読出し，ＣＤ−Ｒドライブ１６ａ〜１６ｇに含まれるメモリに一時的に記憶する。
【００３１】
入力装置１１から書込みプログラムの起動命令が入力されると，ハードディスク１８から書込みプログラムが読出され，コンピュータ１０において実行される。書込みプログラムがコンピュータ１０において実行されることによって，コンピュータ・システムが記録済ＣＤ−Ｒ作成システムとして機能する。
【００３２】
記録済ＣＤ−Ｒ作成システムの操作者は，入力装置１１および表示装置１２を用いてＣＤ−Ｒ１５にコピーすべきプログラム等を指定する。マスタ・ディスク１３に記録されている画像閲覧プログラムがコピーすべきプログラム等として指定されると，マスタ・ディスク１３に記録されている画像閲覧プログラムがＣＤ−ＲＯＭドライブ１４によって読取られる。読取られた画像閲覧プログラムはハードディスク１８に一時的に記憶される（ステップ５０）。
【００３３】
操作者は，入力装置１１を用いて書込み命令（指示）を入力する。書込みプログラムによって，コンピュータ１０からＣＤ−Ｒドライブ１６ａ〜１６ｇのそれぞれに書込命令信号が与えられる（ステップ５１）。ＣＤ−Ｒドライブ１６ａ〜１６ｇは，コンピュータ１０から書込命令信号を受信すると，ＰＣＡ（Ｐｏｗｅｒ　Ｃａｒｉｂｒａｔｉｏｎ　Ａｒｅａ）にピックアップを移動させ，上述の推奨書込みパワーで試し書きを行い，最適なパワーを決定する（書込み設定）。書込み設定の終了の後，ＣＤ−Ｒドライブ１６ａ〜１６ｇはコンピュータ１０に書込可能信号を送信する（ステップ６０）。
【００３４】
書込可能信号を受信すると，コンピュータ１０はハードディスク１８に一時的に記憶されている画像閲覧プログラムを読出し，ＣＤ−Ｒドライブ１６ａ〜１６ｇに送信する（ステップ５２）。
【００３５】
ＣＤ−Ｒドライブ１６ａ〜１６ｇにおいて，受信した画像閲覧プログラムのＣＤ−Ｒ１５への記録（書込み）が行われる（ステップ６１）。すなわち，上述のようにして決定されたパワーのレーザ光によって，ＣＤ−Ｒ１５の記録面のウォブルグルーブに沿ってピットが形成される。また，後述するように，ＣＤ−Ｒ１５には，画像閲覧プログラムの記録部分を挟むようにリードイン領域およびリードアウト領域が作成され，ＰＭＡ（Ｐｒｏｇｒａｍ　Ｍｅｍｏｒｙ　Ａｒｅａ　；アドレス情報保管領域；ＣＤ−Ｒにプログラム等が追記されるたびにそのプログラム等の記録開始アドレス（時間情報），記録終了アドレス，記録が行われた時刻等が記述される領域）に，画像閲覧プログラムの記録開始アドレスおよび記録終了アドレス等が記録される。
【００３６】
画像閲覧プログラムの書込みが完了すると，書込終了信号がＣＤ−Ｒドライブからコンピュータ１０に送信される。
【００３７】
コンピュータ１０は書込終了信号を受信すると，各ＣＤ−Ｒドライブ１６ａ〜１６ｇに装填されているＣＤ−Ｒ１５の最大記録可能時間を表すデータの要求命令を出力する（ステップ５３）。
【００３８】
上述したように，各ＣＤ−Ｒドライブ１６ａ〜１６ｇのメモリには，装填されているＣＤ−Ｒ１５の最大記録可能時間を表すデータが一時的に記憶されている。ＣＤ−Ｒドライブ１６ａ〜１６ｇは，要求命令に応じて装填されているＣＤ−Ｒ１５の最大記録可能時間を表すデータをメモリから読出し，コンピュータ１０に送信する（ステップ６２）。
【００３９】
コンピュータ１０は，ＣＤ−Ｒドライブ１６ａ〜１６ｇのそれぞれからＣＤ−Ｒ１５の最大記録可能時間を表すデータを受信すると，その１秒前の時間位置を開始位置として，ドライブ識別番号を記録する記録命令をＣＤ−Ｒドライブ１６ａ〜１６ｇに送信する（ステップ５４）。コンピュータ１０に接続されているＣＤ−Ｒドライブ１６ａ〜１６ｇのそれぞれを識別するドライブ識別番号は，上述のように，ハードディスク１８に記憶されており，上述の記録命令はハードディスク１８に記憶されているドライブ識別番号を含んでいる。
【００４０】
たとえば，ＣＤ−Ｒドライブ１６ａ〜１６ｇがＳＣＳＩ接続によってコンピュータ１０に接続されている場合には，ＣＤ−Ｒドライブ１６ａ〜１６ｇにはＳＣＳＩ　ＩＤ　がそれぞれ付与され，記録済ＣＤ−Ｒ作成システムのＯＳ（またはＳＣＳＩホスト・アダプタ）によって，コンピュータ１０に接続されているＣＤ−Ｒドライブ１６ａ〜１６ｇおよびその接続位置（いわゆるディジーチェーン接続における接続の順番）が識別される。ハードディスク１８に記録されたドライブ識別番号をＳＣＳＩＩＤ　のそれぞれに対応させて記憶させておくことによって，ＣＤ−Ｒドライブ１６ａ〜１６ｇのそれぞれに，各ドライブに固有のドライブ識別番号をそれぞれ送信することができる。ＳＣＳＩ　ＩＤ　自体をドライブ識別番号として用いてもよい。ＳＣＳＩ　ＩＤ　は，一般的には，ＳＣＳＩ機器（ここでは，ＣＤ−Ｒドライブ）に備えられているディップ・スイッチ等によって設定される。この場合には，ハードディスク１８からＣＤ−Ｒ１６ａ〜１６ｇにドライブ識別番号を送信する必要はない。
【００４１】
いずれにしても，画像閲覧プログラムの記録に用いられたＣＤ−Ｒドライブ１６ａ〜１６ｇを識別するためのドライブ識別番号を含む記録命令が，ＣＤ−Ｒドライブ１６ａ〜１６ｇにそれぞれ送信される。ＣＤ−Ｒドライブ１６ａ〜１６ｇは，ピックアップを記録命令にしたがってＣＤ−Ｒの最大記録可能時間の一秒前に相当する位置に移動させ，その位置からドライブ識別番号を記録する（ステップ６３）。最大記録可能時間の一秒前の位置がドライブ識別番号の記録開始位置になる。
【００４２】
ＣＤ−Ｒの場合，１秒間に約１７０ｋＢのデータを記録することができるので，ドライブ識別番号は１７０ｋＢよりも小さいデータ量をもつものであればよい。もっとも７台のＣＤ−Ｒドライブのそれぞれを識別するには数バイトのデータ量があれば十分であるので，ドライブ識別番号の記録開始位置を，最大記録可能時間の一秒前の位置よりもさらに最大記録可能時間に近い時間位置にしてもよい。
【００４３】
ドライブ識別番号については，リードイン領域およびリードアウト領域は作成されない。またＰＭＡにもドライブ識別番号の記録開始位置および記録終了位置等を表すデータは記録されない。
【００４４】
ドライブ識別番号の記録を終えると，ＣＤ−Ｒドライブ１６ａ〜１６ｇは終了信号をコンピュータ１０に送信する（ステップ６４）。終了信号の受信により，書込プログラムに基づくコンピュータ１０の処理が終了する。
【００４５】
図３は，記録済ＣＤ−Ｒ作成システムによって作成された記録済ＣＤ−Ｒのデータ配置構造を示している。図３に示すデータ配置構造において，左端がＣＤ−Ｒの内周側に，右端がＣＤ−Ｒの外周側にそれぞれ相当する。
【００４６】
上述の記録済ＣＤ−Ｒ作成システムによって作成されたＣＤ−Ｒには，ＰＣＡ（Ｐｏｗｅｒ　Ｃａｌｉｂｒａｔｉｏｎ　Ａｒｅａ），ＰＭＡ（Ｐｒｏｇｒａｍ　Ｍｅｍｏｒｙ　Ａｒｅａ　），リードイン領域およびリードアウト領域が作成され，リードイン領域とリードアウト領域の間に画像閲覧プログラムが記録される。また，ＣＤ−Ｒの最大記録可能時間の１秒前の位置を記録開始位置として，ＣＤ−Ｒの外周側付近にはドライブ識別番号が記録される。リードアウト領域からドライブ識別番号の記録位置までの間の部分は未記録の領域である。いわゆるトラック・アット・ワンスによる記録によって，未記録領域に，ユーザ画像が記録（追記）されることになる（マルチ・セッションのＣＤ−Ｒ）。
【００４７】
図４は，記録済ＣＤ−Ｒ作成システムによって作成された記録済ＣＤ−Ｒに基づいて，その記録済ＣＤ−Ｒに画像閲覧プログラムを記録したＣＤ−Ｒドライブを特定するための処理（後述するドライブ特定処理プログラムによる処理）の流れを示すフローチャートである。
【００４８】
画像閲覧プログラムの記録に用いられたＣＤ−Ｒドライブを特定する処理（以下，ドライブ特定処理という）は，記録済ＣＤ−Ｒの最大記録可能時間の一秒前の位置を記録開始位置として記録されているドライブ識別番号を読出し，ドライブ識別番号によって特定されるＣＤ−Ｒドライブのドライブ番号等を表示するための処理である。ドライブ特定処理には，ドライブ特定処理プログラムを記憶したコンピュータ・システムと，ＣＤ−Ｒドライブとが用いられる。ドライブ特定処理では，好ましくは上述の記録済ＣＤ−Ｒ作成システムとは異なるコンピュータ・システムおよびＣＤ−Ｒドライブが用いられるが，記録済ＣＤ−Ｒ作成システムのハードディスク１８にドライブ特定処理プログラムを記憶させ，記録済ＣＤ−Ｒ作成システムを用いてドライブ特定処理を行ってもよい。
【００４９】
ＣＤ−Ｒドライブに記録済ＣＤ−Ｒが装着される。コンピュータ・システムにおいてドライブ特定処理プログラムが実行される。
【００５０】
はじめに，最大記録可能時間の読出し命令がコンピュータ・システムからＣＤ−Ｒドライブに送信される（ステップ７１）。上述したように，ＣＤ−Ｒドライブのメモリには，装填されているＣＤ−Ｒの最大記録可能時間を表すデータが一時的に記憶されるので，メモリから最大記録可能時間を表すデータが読み出され，コンピュータ・システムに送信される（ステップ８１）。
【００５１】
コンピュータ・システムは，受信した最大記録可能時間よりも１秒前の位置に記録されているドライブ識別番号の読出し命令をＣＤ−Ｒドライブに送信する（ステップ７２）。ＣＤ−Ｒドライブは，読出し命令に基づいて，最大記録可能時間の１秒前に相当する位置にピックアップを移動させ，ドライブ識別番号を読取り，コンピュータ・システムに送信する（ステップ８２）。ドライブ識別番号がコンピュータ・システムの表示装置の表示画面上に表示される（ステップ７３）。
【００５２】
このように，記録済ＣＤ−Ｒ作成システムによって作成された画像閲覧プログラムが記録された記録済ＣＤ−Ｒは，画像閲覧プログラムの記録に用いられたＣＤ−Ｒドライブを特定することができる。記録済ＣＤ−Ｒ作成システムを構成する複数台のＣＤ−Ｒドライブのうちのいずれかに不具合（ドライブ自体の故障，ピックアップの故障，レンズの汚れ等）が生じた結果，不良な記録済ＣＤ−Ｒが作成された場合に，いずれのＣＤ−Ｒドライブに不具合が生じているかを簡単に特定することができる。
【００５３】
ＣＤ−Ｒには，上述のように，ウォブルグルーブにあらかじめ最大記録可能時間を表すデータが記録されている。一般的なＣＤ−Ｒドライブ（および書込みプログラム（ライティング・ソフト））は最大記録可能時間に相当する位置を超えてＣＤ−Ｒにプログラムやデータを記録することはできない。記録済ＣＤ−Ｒに記録する最大記録可能時間を表すデータとして実際の最大記録可能時間よりも短い時間を記録しておき，この実際の最大記録可能時間よりも短い時間（ＣＤ−Ｒ１５のウォブルグルーブに記録される最大記録可能時間）に相当する位置と実際の最大記録可能時間に相当する位置との間に，ドライブ識別番号を記録するようにしてもよい。
【００５４】
また，ＣＤ−Ｒには，上述のように，ウォブルグルーブにあらかじめ書込まれるプログラム等を最大にしたときのリードアウトの開始時間が記録されている。ドライブ識別番号を，上記書き込まれるプログラム等を最大にしたときのリードアウトの開始時間から開始するリードアウト領域の外側（外周側）に記録するようにしてもよい。ドライブ識別番号が記録されている部分に画像データ等が重ね合わされて記録されることがない。
【００５５】
一般的なＣＤ−ＲドライブやＣＤ−ＲＯＭドライブを含むコンピュータ・システムでは，リードイン領域およびリードアウト領域の間に記録されたプログラムやデータを読出すことができる。上述のように，ドライブ識別番号は，ＣＤ−Ｒの最大記録可能時間に相当する位置の付近に記録され，リードイン領域およびリードアウト領域は存在しないので，一般的なコンピュータ・システムでは，記録済ＣＤ−Ｒに記録されたドライブ識別番号を読出すことはできない。このことを利用して，記録済ＣＤ−Ｒの内容（上述の例の場合には，画像閲覧プログラム）を不正にコピーしたＣＤ−Ｒ等であるかどうかの判断に，上述のドライブ識別番号を利用することができる。すなわち，一般的なＣＤ−ＲドライブまたはＣＤ−ＲＯＭドライブを含むコンピュータ・システムを用いると，ドライブ識別番号を読出すことができないので，記録済ＣＤ−Ｒの内容を不正にコピーした場合には，コピー先の記録媒体（たとえば，ＣＤ−Ｒ）にはドライブ識別番号は記録されないことになる。ドライブ識別番号が記録されていないＣＤ−Ｒ等は不正にコピーされたものであることが分かる。
【図面の簡単な説明】
【図１】記録済ＣＤ−Ｒ作成システムのハードウエア構成を示すブロック図である。
【図２】記録済ＣＤ−Ｒの作成の処理の流れを示すフローチャートである。
【図３】記録済ＣＤ−Ｒ作成システムによって作成されたＣＤ−Ｒのデータ配置構造を示す。
【図４】プログラムの記録に用いられたＣＤ−Ｒドライブを特定するための処理の流れを示すフローチャートである。
【符号の説明】
１０　コンピュータ
１１　入力装置
１２　表示装置
１３　マスタ・ディスク
１４　ＣＤ−ＲＯＭドライブ
１５　ＣＤ−Ｒ
１６ａ〜１６ｇ　ＣＤ−Ｒドライブ
１８　ハードディスク
【図１】
2004095057.tif 000003
【図２】
2004095057.tif 000004
【図３】
2004095057.tif 000005
【図４】
2004095057.tif 000006